(57)【要約】【課題】簡単に地点情報を含むコンテンツを公開することのできるコンテンツ発行装置を提供する。【解決手段】コンテンツ発行装置は、例えば、インターネット等のネットワークに接続されたサーバ装置及びデータベースであり、地図データと、地点情報記録手段と、コンテンツ公開手段と、を備える。サーバ装置のＣＰＵが、これらの手段に該当する。地点情報記録手段は、複数のユーザにより入力された複数の地点情報を記録している。コンテンツ公開手段は、地図データの地図上の対応する位置と関連付けたコンテンツとして公開する。これにより、ユーザは、既に登録された地点情報を流用することができ、簡単に地点情報を含んだコンテンツを発行することができる。【選択図】図２
2008040868.tif 000002
【特許請求の範囲】
【請求項１】
地図データと、
複数のユーザにより入力された複数の地点情報を記録している地点情報記録手段と、
前記複数の地点情報のうち、所定のユーザにより選択された１つ以上の地点情報を、前記地図データの地図上の対応する位置と関連付けたコンテンツとして公開するコンテンツ公開手段と、を備えることを特徴とするコンテンツ発行装置。
【請求項２】
前記コンテンツ公開手段は、更に、前記所定のユーザにより入力されたテーマを前記コンテンツに付加して前記コンテンツを公開することを特徴とする請求項１に記載のコンテンツ発行装置。
【請求項３】
地図データ、及び、複数のユーザにより入力された複数の地点情報を記録している地点情報記録手段を備えたコンピュータにより実行されるコンテンツ発行プログラムであって、
前記複数の地点情報のうち、所定のユーザにより選択された１つ以上の地点情報を、前記地図データの地図上の対応する位置と関連付けたコンテンツとして公開するコンテンツ公開手段として、前記コンピュータを機能させることを特徴とするコンテンツ発行プログラム。
【発明の詳細な説明】
【技術分野】
【０００１】
本発明は、情報端末と通信可能なサーバ装置の技術分野に属し、コンテンツの発行方法に関する。
【背景技術】
【０００２】
現在、ユーザは、地図データが記録されたサーバ装置に、インターネットを介して情報端末よりアクセスすることにより、地図を見ることができる。
【０００３】
特に、最近では、非特許文献１及び２に示すように、インターネット上に公開されるコンテンツとして、地図だけでなく、当該地図上の位置と対応した場所についての地点情報（ＰＯＩ：Point Of Interest）を見ることも可能なものも出てきている。これにより、ユーザは、例えば、地図上の所定の位置をクリックすると、当該所定の位置に対応する緯度、経度に存在する店舗などの名称、住所、電話番号、口コミ情報などのコメント等を見ることができる。
【０００４】
なお、特許文献１には、ユーザがコンテンツを選択することにより、当該ユーザに合った旅行のガイド情報を作成する技術が記載されている。
【０００５】
【非特許文献１】インクリメント・ピー株式会社、Ｍａｐｆａｎ Ｏｎ Ｐａｇｅ＜ＵＲＬ：http://www.incrementp.co.jp/mapfan/onpage/＞
【非特許文献２】グーグル株式会社、Ｇｏｏｇｌｅ マップ＜ＵＲＬ：http://maps.google.co.jp/＞
【特許文献１】特開２００４−６９４３８号公報
【発明の開示】
【発明が解決しようとする課題】
【０００６】
しかしながら、上記の各文献に記載の技術では、ユーザは、地点情報を含むコンテンツを作成し、インターネット上に当該コンテンツを公開しようとする場合、緯度、経度、名称、住所、電話番号、コメント等の地点情報を、その都度、自分でデータベースに登録する必要がある。つまり、ユーザは、既に他人が同じ位置における地点情報を登録して公開していたとしても、それを流用することはできず、再度、自分で地点情報を登録する必要があり不便であった。
【０００７】
本発明は、上記の点に鑑みてなされたものであり、簡単に地点情報を含むコンテンツを公開することのできるコンテンツ発行装置を提供することを課題とする。
【課題を解決するための手段】
【０００８】
請求項１に記載の発明は、コンテンツ発行装置において、地図データと、複数のユーザにより入力された複数の地点情報を記録している地点情報記録手段と、前記複数の地点情報のうち、所定のユーザにより選択された１つ以上の地点情報を、前記地図データの地図上の対応する位置と関連付けたコンテンツとして公開するコンテンツ公開手段と、を備える。
【０００９】
請求項３に記載の発明は、地図データ、及び、複数のユーザにより入力された複数の地点情報を記録している地点情報記録手段を備えたコンピュータにより実行されるコンテンツ発行プログラムであって、前記複数の地点情報のうち、所定のユーザにより選択された１つ以上の地点情報を、前記地図データの地図上の対応する位置と関連付けたコンテンツとして公開するコンテンツ公開手段として、前記コンピュータを機能させる。
【発明を実施するための最良の形態】
【００１０】
本発明の１つの観点では、コンテンツ発行装置は、地図データと、複数のユーザにより入力された複数の地点情報を記録している地点情報記録手段と、前記複数の地点情報のうち、所定のユーザにより選択された１つ以上の地点情報を、前記地図データの地図上の対応する位置と関連付けたコンテンツとして公開するコンテンツ公開手段と、を備える。
【００１１】
上記のコンテンツ発行装置は、例えば、インターネット等のネットワークに接続されたサーバ装置及びデータベースであり、地図データと、地点情報記録手段と、コンテンツ公開手段と、を備える。サーバ装置のＣＰＵ（Central Processing Unit）が、これらの手段に該当する。地点情報記録手段は、複数のユーザにより入力された複数の地点情報を記録している。コンテンツ公開手段は、前記地図データの地図上の対応する位置と関連付けたコンテンツとして公開する。これにより、ユーザは、既に登録された地点情報を流用することができ、簡単に地点情報を含んだコンテンツを発行することができる。
【００１２】
上記のコンテンツ発行装置の一態様は、前記コンテンツ公開手段は、更に、前記所定のユーザにより入力されたテーマを前記コンテンツに付加して、前記コンテンツを公開する。これにより、ユーザは、コンテンツ毎にテーマを持たせることができる。
【００１３】
本発明の他の観点では、地図データ、及び、複数のユーザにより入力された複数の地点情報を記録している地点情報記録手段を備えたコンピュータにより実行されるコンテンツ発行プログラムは、前記複数の地点情報のうち、所定のユーザにより選択された１つ以上の地点情報を、前記地図データの地図上の対応する位置と関連付けたコンテンツとして公開するコンテンツ公開手段として、前記コンピュータを機能させる。このプログラムによっても、ユーザは、既に登録された地点情報を流用することができ、簡単に地点情報を含んだコンテンツを発行することができる。
【実施例】
【００１４】
以下、図面を参照して本発明の好適な実施例について説明する。なお、以下の説明は、本発明を端末装置と通信手段を介して通信可能に構成されたサーバ装置に適用した例を示す。
【００１５】
（コンテンツ発行装置の全体構成）
図１に、本発明の実施例にかかるコンテンツ発行装置１０を模式的に示す。図１に示すように、コンテンツ発行装置１０は、サーバ装置１と、ＰＯＩデータベース５と、インデックスデータベース６より構成される。ＰＯＩデータベース５とインデックスデータベース６は、サーバ装置１に接続されている。
【００１６】
サーバ装置１は、ＣＰＵ（Central Processing Unit）やメモリ、ハードディスクなどから構成されている。サーバ装置１には、地図データが記録されている。ユーザは、端末装置３や携帯電話４を用い、インターネットなどのネットワーク２を介して、サーバ装置１にアクセスすることができる。このようにすることで、ユーザは、サーバ装置１に記録されている地図データの地図を見ることができる。ＰＯＩデータベース５は、ユーザにより登録された地点情報（ＰＯＩ：Point Of Interest）を記録するためのものである。インデックスデータベース６は、地点情報のインデックスを記録するためのものである。サーバ装置１では、ＣＰＵがメモリに記録されている本発明のコンテンツ発行処理プログラムを実行することにより、後に述べるコンテンツ発行処理が行われる。
【００１７】
（地点情報の登録）
図２は、本発明のコンテンツ発行処理における表示の流れを示す模式図である。まず、コンテンツ発行処理を行うためには、地点情報をＰＯＩデータベース５に登録する必要がある。そこで、まず、地点情報の登録処理の方法について、図３を用いて述べる。図３は、地点情報の登録処理の方法を示すフローチャートである。
【００１８】
ユーザは、サーバ装置１にアクセスして、登録したい地点情報に対応する位置を含む地図を表示する（ステップＳ１１）。次に、ユーザは、登録したい地点情報に対応する地図上の位置を指定して、地点情報を入力する。例えば、ユーザは、表示された地図上において、登録したい地点情報の緯度、経度に対応する位置をクリック等することにより指定すると、サーバ装置１は、地点情報を入力するための登録フォーマットを表示する。図２に示すＰＯＩ登録フォーマット２１は、その一例である。ユーザは、当該ＰＯＩ登録フォーマット２１に、必要事項として、例えば、緯度、経度、名称、電話番号、住所を入力する（ステップＳ１２）。サーバ装置１は、図２の矢印５１に示すように、入力されたこれらの必要情報を地点情報としてＰＯＩデータベース５に登録する（ステップＳ１３）。このようにして、複数の地点情報が、複数のユーザによってＰＯＩデータベース５に蓄積され記録される。
【００１９】
図４（ａ）は、ＰＯＩデータベース５に記録された地点情報の一例である。図４（ａ）に示すように、地点情報は、ＩＤ、緯度、経度、名称、電話番号、住所の各項目についてのデータである。ＩＤは、サーバ装置１によって各地点情報毎に割り振られる。地点情報としては、この他に、ユーザにより入力されたコメント等の項目についてのデータも含む。
【００２０】
このようにしてＰＯＩデータベース５に登録された地点情報は、一般的には、図２の矢印５２に示すように、所定の地域情報を示す地域情報ポータルサイト２２に関連付けられて公開される。具体的には、サーバ装置１内部において、地点情報へのリンクを含む所定の地域情報のコンテンツのファイルが保存され、ユーザは、サーバ装置１にアクセスして、当該ファイルをダウンロードすることができる状態にされている。従って、ユーザは、地域情報ポータルサイト２２などを通して、地点情報にアクセス可能となる。地域情報ポータルサイト２２は、地域の地図３２と、１つ以上の地点情報を含んで構成される。地点情報は、地域の地図３２上の対応する位置、即ち、当該地点情報の緯度、経度に対応する位置に関連付けられている。例えば、地域の地図３２上には、アイコン４１が表示されており、ユーザは、当該アイコン４１をクリックすることにより、地域の地図３２上の当該アイコン４１の位置に対応する地点情報を表示することができる。
【００２１】
ユーザが、地域の地図３２上のアイコン４１をクリックすると、図２の矢印５３に示すように、サーバ装置１は、ＰＯＩデータベース５に記録されている当該アイコン４１の位置に対応する地点情報を取り出して表示する。ＰＯＩ表示ページ２３は、地点情報の表示の一例である。ＰＯＩ表示ページ２３では、例えば、当該地点情報に係る位置周辺の拡大地図３３と、当該地点情報に係る緯度、経度、名称、電話番号、住所、コメント等が表示される。
【００２２】
なお、サーバ装置１は、更に、地域情報ポータルサイト２２において、ユーザが周辺検索やキーワード検索を行うことによって、地点情報を表示することができるとしてもよい。また、サーバ装置１は、更に、地域情報ポータルサイト２２の地域の地図３２で表示される範囲において、新たに地点情報が登録された場合には、「新着ＰＯＩ情報」として改めてアイコン４２で表示することができるとしてもよい。この場合、ユーザは、当該アイコン４２をクリックすることで、新たな地点情報を表示することができる。
【００２３】
（コンテンツの発行）
次に、コンテンツ発行処理について、図５を用いて述べる。図５は、コンテンツ発行処理のフローチャートである。コンテンツ発行処理は、大きく分けて、地点情報のマイページへの登録、公開する地点情報の選択、コンテンツの発行の３段階に分けられる。
【００２４】
まず、表示された地点情報をマイページに登録する方法について述べる。マイページとは、ユーザにより登録された地点情報のリストである。ユーザは、ＰＯＩ表示ページ２３に示したように、地点情報を表示し（ステップＳ２１）、例えば、表示された地点情報の「マイページへ登録」アイコン４３をクリックすると、地点情報は、図２の矢印５４に示すように、マイページに登録される（ステップＳ２２）。マイページ２４は、マイページの表示の一例である。このとき、サーバ装置１は、図２の矢印５５に示すように、インデックスデータベース６に対し、当該地点情報のＩＤを、当該ユーザのマイページ２４のテーブルとして登録している。このようにして、ユーザは、マイページ２４に、１つ以上の地点情報を蓄積して記録することができる。
【００２５】
図４（ｂ）は、マイページ２４のテーブルの一例である。マイページ２４のテーブルは、ユーザＩＤと地点情報のＩＤのテーブルとなっている。例えば、ユーザのユーザＩＤが「ユーザ１」であるとすると、当該ユーザがマイページ２４を表示した場合、サーバ装置１は、マイページ２４のテーブルより、ユーザＩＤ「ユーザ１」に対応する地点情報のＩＤである「Ａ」、「Ｂ」、「Ｃ」、「Ｅ」を基に、ＰＯＩデータベース５より、各ＩＤに対応する地点情報（名称「ラーメン・エー」、名称「ビー・ラーメン」、名称「ラーメン・シー」、名称「イー・カフェ」の各地点情報）を表示する。つまり、当該ユーザが、マイページ２４をいつ表示しても、サーバ装置１は、インデックスデータベース６のマイページのテーブルを用いることで、図２の矢印５６に示すように、当該ユーザにより登録された地点情報をマイページ２４にリストして表示することができる。
【００２６】
次に、コンテンツ発行処理について述べる。ユーザは、マイページ２４を表示し（ステップＳ２３）、マイページ２４に登録された地点情報より、公開する地点情報を選択する（ステップＳ２４）。例えば、図２に示すように、ユーザは、所定の地点情報（名称「ラーメン・シー」、名称「イー・カフェ」の各地点情報）を含んだ所定のコンテンツＣｏｎｔＡを発行したい場合には、当該コンテンツＣｏｎｔＡに公開したい地点情報を、マイページ２４に登録された複数の地点情報より選択する。例えば、ユーザは、マイページ２４にリストされた複数の地点情報より、チェックボックスをチェックすること等により、公開する地点情報を選択する。本実施例では、ユーザは、公開する地点情報として、名称「ラーメン・シー」、名称「イー・カフェ」の２つの地点情報を選択するとする。このとき、サーバ装置１は、インデックスデータベース６に対し、ユーザにより選択された地点情報のＩＤを、コンテンツＣｏｎｔＡのテーブルとして登録する。図４（ｃ）は、コンテンツＣｏｎｔＡのテーブルの一例である。
【００２７】
サーバ装置１は、インデックスデータベース６のコンテンツＣｏｎｔＡのテーブルにおける選択された地点情報のＩＤである「Ｃ」、「Ｅ」を基にして、ＰＯＩデータベース５における当該選択された地点情報（名称「ラーメン・シー」、名称「イー・カフェ」の各地点情報）を、当該選択された地点情報の位置を含む地図３４とアイコン等で関連付けて、コンテンツＣｏｎｔＡとして公開する。発行されたコンテンツＣｏｎｔＡは該当する地点の位置がアイコン等により地図上に自動で配置される。
【００２８】
ここでいう公開するとは、サーバ装置１内部に、地点情報を示すＰＯＩ表示ページ２３へのリンクを含むコンテンツＣｏｎｔＡのファイルを保存しておき、他のユーザが、端末装置３のＷｅｂクライアント等よりＵＲＬ（Uniform Resource Locator）等を指定することによりサーバ装置１へアクセスすることができる状態にすると共に、当該コンテンツＣｏｎｔＡのファイルをサーバ装置１より端末装置３へダウンロードすることができる状態にすることをいう。
【００２９】
このようにして、サーバ装置１は、図２の矢印５７に示すように、所定の地点情報（名称「ラーメン・シー」、名称「イー・カフェ」の各地点情報）を含んだコンテンツＣｏｎｔＡを発行することができる（ステップＳ２５）。
【００３０】
以上述べたことから分かるように、ユーザは、地域情報ポータルサイト２２に公開された地点情報を流用して簡単に地点情報を含んだコンテンツＣｏｎｔＡを発行することができる。また、他のユーザは、地域情報ポータルサイト２２にアクセスするだけでなく、コンテンツＣｏｎｔＡにアクセスすることによっても、地点情報（名称「ラーメン・シー」、名称「イー・カフェ」の各地点情報）を表示することができる。
【００３１】
なお、ユーザは、更に、公開する地点情報を含むコンテンツＣｏｎｔＡに、例えば、「××駅周辺のお勧め飲食店マップ」といったテーマを付与することもできる。この場合、ユーザは、コンテンツＣｏｎｔＡで公開する地点情報を選択する際、テーマを入力し、サーバ装置１は、コンテンツＣｏｎｔＡを発行する際、ユーザにより入力された当該テーマを、例えばタイトルとして付与して発行する。このようにして、ユーザは、発行するコンテンツ毎にテーマを持たせることができる。
【００３２】
また、ユーザは、当該ユーザが他に作成した、又は、当該ユーザ以外の第三者が作成したコンテンツＣｏｎｔＢにおいて公開された地点情報（名称「デー・レストラン」、名称「カフェ・エフ」の各地点情報）を、図２の矢印５８に示すように、マイページに登録することもできる。具体的には、ユーザは、コンテンツＣｏｎｔＢにおいて公開された地点情報をＰＯＩ表示ページ２３として一旦表示して、「マイページへ登録」アイコン４３をクリックすることにより登録する。ユーザは、このようにして登録した地点情報を、自己のコンテンツの地点情報として新たに公開することもできる。
【００３３】
以上述べたように、本実施例では、コンテンツ発行装置は、地図データと、複数のユーザにより入力された複数の地点情報を記録している地点情報記録手段と、前記複数の地点情報のうち、所定のユーザにより選択された１つ以上の地点情報を、前記地図データの地図上の対応する位置と関連付けたコンテンツとして公開するコンテンツ公開手段と、を備える。これにより、ユーザは、既に登録された地点情報を流用することができ、簡単に地点情報を含んだコンテンツを発行することができる。
【図面の簡単な説明】
【００３４】
【図１】実施例によるコンテンツ発行装置の全体構成を示す模式図である。
【図２】コンテンツ発行処理における表示の流れを示す模式図である。
【図３】地点情報登録処理の方法を示すフローチャートである。
【図４】地点情報の一例である。
【図５】コンテンツ発行処理の方法を示すフローチャートである。
【符号の説明】
【００３５】
１・・・サーバ装置
２・・・ネットワーク
３・・・情報端末
４・・・携帯電話
５・・・ＰＯＩデータベース
６・・・インデックスデータベース
１０・・・コンテンツ発行装置
【図１】
2008040868.tif 000003
【図２】
2008040868.tif 000004
【図３】
2008040868.tif 000005
【図４】
2008040868.tif 000006
【図５】
2008040868.tif 000007